(57)【要約】【課題】  リモートコントロール装置において、手探りで操作するときの操作性を向上し誤操作を防止する。【解決手段】  電気装置を遠隔操作するためのリモートコントロール装置において、電気装置を操作する信号の出力を指示する操作ボタンと、音声の出力を指示し前記操作ボタンの近傍位置に配置されその高さが前記操作ボタンの高さより高い音声ボタンと、前記音声ボタンの周囲に配置されその高さが前記操作ボタンの高さ以上であって前記音声ボタンの高さ未満である押し下げ位置規制手段と、前記音声ボタンが押されたとき対応する前記操作ボタンの名称又は機能を示す音声を出力する音声出力手段とを備える。【選択図】      図１
2005184568.tif 000002
【特許請求の範囲】
【請求項１】
電気装置を遠隔操作するためのリモートコントロール装置であって、電気装置を操作する信号の出力を指示する操作ボタンと、音声の出力を指示し前記操作ボタンの近傍位置に配置されその高さが前記操作ボタンの高さより高い音声ボタンと、前記音声ボタンの周囲に配置されその高さが前記操作ボタンの高さ以上であって前記音声ボタンの高さ未満である押し下げ位置規制手段と、前記音声ボタンが押されたとき対応する前記操作ボタンの名称又は機能を示す音声を出力する音声出力手段とを備えることを特徴とするリモートコントロール装置。
【発明の詳細な説明】
【技術分野】
【０００１】
本発明は、電気装置を遠隔操作するためのリモートコントロール装置に関する。
【背景技術】
【０００２】
ＤＶＤプレーヤ等の電気装置を遠隔操作するために、操作ボタンを押し下げる操作によって、操作信号を赤外線、電波等で電気装置に送信するリモートコントロール装置が用いられる。視覚障害者が、リモートコントロール装置を手探りで操作する場合、操作ボタンを確認するために、操作ボタンに指が近づいたときセンサーが認識し、指が近づいた操作ボタンの機能情報をスピーカによって音声出力するリモートコントロール装置があった。また、２段階の状態検出機能付の操作ボタンを軽く押して１段階目の状態になると、その操作ボタンの機能情報をスピーカによって音声出力するリモートコントロール装置があった（特許文献１参照）。
【０００３】
【特許文献１】特開２００３−７００８２号公報
【発明の開示】
【発明が解決しようとする課題】
【０００４】
特許文献１に記載されているリモートコントロール装置は、操作ボタンを操作しようとするとき、使用者が、音声出力を必要とする場合としない場合とで操作し分けることができず、必ず音声出力される構成であった。また、２段階の状態検出機能付の操作ボタンを軽く押して１段階目の状態にして音声だけを出力しようとする場合、力の加減を誤って押し込んでしまい、使用者の意図に反した操作信号が送信される虞があった。
例えば、年配者が使用する場合など、操作ボタンを押す力の加減も使用者によって異なるので、操作ボタンと操作ボタンの機能情報を出力するための音声ボタンを分けて、音声出力を必要とする場合と必要としない場合とで確実に操作し分けることができる方が、使用者にとって操作しやすい場合がある。
【０００５】
本発明の目的は、リモートコントロール装置において、手探りで操作する場合、操作ボタンと音声ボタンを押し分けることができ、音声ボタンを押したとき誤って操作ボタンを押すことを防止するリモートコントロール装置を提供することにある。
【課題を解決するための手段】
【０００６】
本発明の請求項１に記載のリモートコントロール装置は、電気装置を遠隔操作するためのリモートコントロール装置であって、電気装置を操作する信号の出力を指示する操作ボタンと、音声の出力を指示し前記操作ボタンの近傍位置に配置されその高さが前記操作ボタンの高さより高い音声ボタンと、前記音声ボタンの周囲に配置されその高さが前記操作ボタンの高さ以上であって前記音声ボタンの高さ未満である押し下げ位置規制手段と、前記音声ボタンが押されたとき対応する前記操作ボタンの名称又は機能を示す音声を出力する音声出力手段とを備えるものである。
【発明の効果】
【０００７】
本発明のリモートコントロール装置によれば、操作ボタンと音声ボタンとを押し分けることができる。また、音声ボタンを押したとき、誤って操作ボタンを押すことを防止することができる。
【発明を実施するための最良の形態】
【０００８】
図１は、本発明のリモートコントロール装置の一実施例を示す外観図である。リモートコントロール装置１は、操作面に、電気装置を遠隔操作するための複数の操作ボタン２ａ、２ｂ、２ｃ、２ｄ、２ｅ、２ｆを備える。使用者は、図１に示すリモートコントロール装置１を操作するとき、その下部を手前にして手に持って操作する。リモートコントロール装置１は、操作ボタン２ａ、２ｂ、２ｃ、２ｄ、２ｅ、２ｆの各々手前の近傍位置に、各操作ボタンの名称又は機能を音声出力するための音声ボタン３ａ、３ｂ、３ｃ、３ｄ、３ｅ、３ｆを備える。すなわち、音声ボタン３ａは、操作ボタン２ａの名称又は機能を音声出力するためのボタンであり、音声ボタン３ｂは、操作ボタン２ｂの名称又は機能を音声出力するためのボタンであり、音声ボタン３ｃは、操作ボタン２ｃの名称又は機能を音声出力するためのボタンであり、音声ボタン３ｄは、操作ボタン２ｄの名称又は機能を音声出力するためのボタンであり、音声ボタン３ｅは、操作ボタン２ｅの名称又は機能を音声出力するためのボタンであり、音声ボタン３ｆは、操作ボタン２ｆの名称又は機能を音声出力するためのボタンである。すなわち、音声ボタンは、対応する操作ボタンの名称又は機能を示す情報を音声出力する指示信号を出力する。
【０００９】
押し下げ位置規制部４１ａ、４２ａは、使用者がリモートコントロール装置１を手に持った使用状態で音声ボタン３ａの前側（操作ボタン２ａに面した側）と後側に各々配置される。押し下げ位置規制部４１ａ、４２ａの高さによって、音声ボタン３ａを押し下げ切った位置が決められる。押し下げ位置規制部４１ａ、４２ａは、音声ボタン３ａを押し下げたとき指が操作ボタン２ａに確実に当たらないようにするため、操作ボタン２ａの高さよりも例えば２〜３mm高く、音声ボタン３ａの高さよりも音声ボタン３ａを操作するとき押し下げる分（例えば１〜３mm）だけ低い高さにする。
【００１０】
押し下げ位置規制部４１ｂ、４２ｂ、４１ｃ、４２ｃ、４１ｄ、４２ｄ、４１ｅ、４２ｅ、４１ｆ、４２ｆについても、押し下げ位置規制部４１ａ、４２ａの場合と同様に、使用者がリモートコントロール装置１を手に持った使用状態で、各々、音声ボタン３ｂ、３ｃ、３ｄ、３ｅ、３ｆの前側と後側に配置される。押し下げ位置規制部４１ｂ、４２ｂ、４１ｃ、４２ｃ、４１ｄ、４２ｄ、４１ｅ、４２ｅ、４１ｆ、４２ｆの高さによって、音声ボタン３ｂ、３ｃ、３ｄ、３ｅ、３ｆを押し下げた位置が各々決められる。押し下げ位置規制部４１ｂ、４２ｂ、４１ｃ、４２ｃ、４１ｄ、４２ｄ、４１ｅ、４２ｅ、４１ｆ、４２ｆの高さは、各々、操作ボタン２ｂ、２ｃ、２ｄ、２ｅ、２ｆの高さよりも例えば２〜３mm高くし、音声ボタン３ｂ、３ｃ、３ｄ、３ｅ、３ｆの高さよりも例えば１〜３mm低くする。
【００１１】
スピーカ５は、リモートコントロール装置１に内蔵され、音声ボタン３ａ、３ｂ、３ｃ、３ｄ、３ｅ、３ｆのいずれか１つが押されたとき、各々の音声ボタンに応じた操作ボタンの名称又は機能を示す情報を音声として出力する。発光ダイオード(Light Emitting Diode、以下、ＬＥＤと言う。)６は、リモートコントロール装置の操作信号を赤外線として送信する。
【００１２】
図２は、本実施例の操作ボタン２ａ及び音声ボタン３ａを示す外観図である。(ａ)は、操作ボタン及び音声ボタンの上面図であり、(ｂ)は、(ａ)のＡ１−Ａ２断面図である。音声ボタン３ａの高さは操作ボタン２ａよりも高く、押し下げ位置規制部４１ａ、４２ａの高さは、操作ボタン２ａの高さよりも少し高く、音声ボタン３ａの高さよりも低い。操作ボタン２ａと音声ボタン３ａを手探りで押し分ける場合、操作ボタン２ａと音声ボタン３ａの高さを変えたので、手の感触で区別することができる。音声ボタン２ａを押し下げるとき、音声ボタン２ａを押し下げた指の先で操作ボタン３ａを誤って押し下げることがないように押し下げ位置規制部４１ａ、４２ａを設けたので、音声ボタン３ａを押し下げると、操作ボタン２ａに指が当たる前に押し下げ位置規制部４１ａ、４２ａに指が当たって、それ以上の押し下げを防止する。
【００１３】
図３は、本発明のリモートコントロール装置１の構成を示すブロック図である。
操作部７は、操作ボタン２ａ、２ｂ、２ｃ、２ｄ、２ｅ、２ｆ、音声ボタン３ａ、３ｂ、３ｃ、３ｄ、３ｅ、３ｆを備える。制御部８は、操作部７から入力された操作信号が、操作ボタン２ａ、２ｂ、２ｃ、２ｄ、２ｅ、２ｆのいずれか１つの操作信号であれば駆動回路部９にその操作信号を出力し、音声ボタン３ａ、３ｂ、３ｃ、３ｄ、３ｅ、３ｆのいずれか１つの操作信号であればその操作信号を音声発生部１０に出力する。
【００１４】
駆動回路部９は、入力された操作ボタン２ａ、２ｂ、２ｃ、２ｄ、２ｅ、２ｆのいずれか１つの操作信号を赤外線として出力するためＬＥＤ駆動信号に変換する。ＬＥＤ１３は、ＬＥＤ駆動信号に変換された操作信号を赤外線として送信する。
音声発生部１０は、入力された音声ボタン３ａ、３ｂ、３ｃ、３ｄ、３ｅ、３ｆのいずれか１つに合致した音声データを図示しないメモリから読み出しアナログ音声信号に変換してスピーカ５に出力する。スピーカ５は、音声発生部１０からの音声信号を音として出力する。
【００１５】
例えば、操作ボタン２ａがデジタルオーディオディスク等を再生するための再生ボタンであれば、音声ボタン３ａを押し下げると、音声発生部１０はスピーカ５を介して、操作ボタン２ａの名称を示す「再生ボタンです」という音声、又は操作ボタン２ａの機能を示す「ディスクを再生するボタンです」という音声を出力する。
電力供給部１１は、乾電池又は充電池を備え、操作部７、制御部８、駆動回路部９、音声発生部１０、ＬＥＤ５に電力を供給する。
【図面の簡単な説明】
【００１６】
【図１】本発明のリモートコントロール装置の一実施例を示す外観図である。
【図２】本実施例の操作ボタン及び音声ボタンを示す外観図である。(ａ)は、操作ボタン及び音声ボタンの上面図であり、(ｂ)は、(ａ)のＡ１−Ａ２断面図である。
【図３】本発明のリモートコントロール装置の一実施例の構成を示すブロック図である。
【符号の説明】
【００１７】
１  リモートコントロール装置
２ａ、２ｂ、２ｃ、２ｄ、２ｅ、２ｆ  操作ボタン
３ａ、３ｂ、３ｃ、３ｄ、３ｅ、３ｆ  音声ボタン
４１ａ、４１ｂ、４１ｃ、４１ｄ、４１ｅ、４１ｆ  押し下げ位置規制部
４２ａ、４２ｂ、４２ｃ、４２ｄ、４２ｅ、４２ｆ  押し下げ位置規制部
５  スピーカ
６  ＬＥＤ
７  操作部
８  リモコン回路部
９  駆動回路部
１０  音声発生部
１１  電力供給部
【図１】
2005184568.tif 000003
【図２】
2005184568.tif 000004
【図３】
2005184568.tif 000005